(57)【要約】【課題】小型かつ軽量で簡単に取り外しができない係止機構付き止め具を提供する。【解決手段】雌ホック１と雄ホック２とを着脱する止め具であって、雌ホック１は、止め鋲８で取り付けされた外ケース３と下ケース４との間に、雄ホック２のフックに係合する係止部材６と、該係止部材を雄ホック２のフックに係合した状態で係止するストッパー５と、該ストッパーを雄ホックのフックに係止した状態に付勢するばね部材７とを具備し、外ケース３を非磁性材料から形成して該外ケースの外側から磁石３１の磁力を前記ストッパー５に作用させてばね部材７の弾性力に抗して動作させることにより、該ストッパー５が係止部材６に対する係止を開放し、雄ホック２が雌ホック１から取り外しできる止め具。【選択図】図１
2006136557.tif 000002
【特許請求の範囲】
【請求項１】
雌ホックと雄ホックとを着脱する止め具であって、前記雌ホックは内部に雄ホックに係合する係止部材と該係止部材を雄ホックに係合した状態で係止するストッパーとを具備し、該ストッパーを磁性材料から形成して磁石の磁力で前記係止を開放することにより、雌ホックと雄ホックとを外すことを特徴とする係止機構付き止め具。
【請求項２】
前記雌ホックは、止め鋲で取り付けされた外ケースと下ケースとの間に、雄ホックのフック部に係合する係止部材と、該係止部材を雄ホックのフック部に係合した状態で係止するストッパーと、該ストッパーを雄ホックのフック部に係止した状態に付勢するばね部材とを具備し、外ケースを非磁性材料から形成して該外ケースの外側から磁石の磁力を前記ストッパーに作用させてばね部材の弾性力に抗して動作させることにより、該ストッパーが係止部材に対する係止を開放し、雌ホックと雄ホックとを外すことを特徴とする請求項１に記載の係止機構付き止め具。
【請求項３】
前記係合部材は弾性的に拡開して雄ホックのフック部に係合することを特徴とする請求項１又は２に記載の係止機構付き止め具。
【請求項４】
前記係止部材が弾性的に拡開するリングばねからなり、該リングばねはストッパー内に収容された状態において、リングばね内に押し込まれた雄ホックのフック部に係合し、この状態のリングばねをばね部材で付勢されたストッパーで外側から係止することにより雌ホックと雄ホックとを止めることを特徴とする請求項１、２又は３に記載の係止機構付き止め具。
【請求項５】
前記ストッパーは下端部が開口したキャップ状をなしており、該下端部で係止部材を係止することを特徴とする請求項１〜４のいずれかに記載の係止機構付き止め具。
【請求項６】
前記雄ホックがフック部と止め鋲部とからなり、該フック部は内部に段部を有する円筒孔が、外周に係合溝を有する係止突起と該係止突起が植立されている台板とを貫通して設けられており、前記止め鋲部は台板の中央に植立てした円筒部を有し、該円筒部を布服等の孔に通した後、フック部の前期円筒孔に台板側から挿入して円筒部の先端を広げて前期段部に係止することにより、雄ホックを布服等に取り付けできる請求項１〜５のいずれかに記載の係止機構付き止め具。
【請求項７】
請求項１〜６のいずれかの止め具が、介護用ねまきの止め具、介護手袋用の止め具又はかばん等の簡易ロック付き止め具である係止機構付き止め具。
【請求項８】
請求項１〜６のいずれかの止め具が開閉スライダ用止め具として使用されている介護用ねまき。
【請求項９】
請求項１〜６のいずれかの止め具が蓋の止め具として使用されているかばん。
【発明の詳細な説明】
【技術分野】
【０００１】
本発明は、簡単に取り外しができない係止機構付き止め具に関し、特に介護用ねまきの開閉スライダ用止め具、手袋の取り外し防止用止め具又はかばん等の簡易ロック付き止め具として有用な係止機構付き止め具に関する。
【背景技術】
【０００２】
一般に痴呆症患者には、不潔行為を未然に防ぐために、ロック付きねまき又はロック付きつなぎねまき（以下、ロック付きねまきという）が着用されることがある。このロック付きねまきの一つとして、ねまきの袖、フロント、股部などにロック機能ファスナーを取り付けたものが知られている。このロック機能ファスナーはファスナーの閉終端に例えばロック付きボタンを設けて、該ボタンの中心部を押すとロックが外れ、ロックを外してからファスナーを開閉するものである。したがって、このロック付きねまきは、ボタンのロックを外した後でないとファスナーを開けることができないため、通常のねまきに比べると簡単にファスナーを開けることができないように工夫されており、ロック付きねまきとして一応機能する。
【発明の開示】
【発明が解決しようとする課題】
【０００３】
しかしながら、従来のロック付きねまきでは、ボタンの中央部を押すとロックが外れるために、痴呆症患者が何かの拍子にこの中央部を押すとロックが勝手に外れたり、あるいは中央部を押すとロックが外れることを一度知ってしまうとロックを自分で外してしまうために、ロック付きねまきとしての機能が充分に果たせなくなる。その結果、不潔行為を未然あるいは完全に防ぐことができないという問題があった。
【０００４】
さらに、高齢介護者にあっては、指先の力が衰えるため、ロックの開閉が難渋し開閉操作の利便性が欠如するという問題があった。
【０００５】
このような問題を解消するために、このロック付きねまきの係止手段として汎用の各種の錠を適用することが考えられる。このような錠は簡単に外すことのできないロック付きねまきを得ることはできるが、大型化し重くなるために痴呆症患者のねまき用その他の簡易止め具として不具合を生じる。さらに、施錠や解錠を鍵で行うために、これらの作業に手間と負担がかかるという問題があった。
【０００６】
また、手の保護や手を自由に使うことができないようにするために手袋を着用しても、着用者が手袋の着用について分別できないため、この手袋を自分勝手に手から外してしまうことがある。このために着用者が手袋を自分の意思で簡単に手から取り外すのを防止できる手段が求められている。
【０００７】
さらにまた、かばん等の止め具として錠を使用せずに開閉でき、かつ自由な開閉を防止できる簡易ロック付き止め具が求められている。
【０００８】
本発明の目的は、このような課題を解消できる簡単に取り外しができない係止機構付き止め具、特に介護用ねまきの開閉スライダ用止め具、手袋用止め具又はかばん等の簡易ロック付き止め具として有用な係止機構付き止め具を提供することである。
【課題を解決するための手段】
【０００９】
本発明者は、上記の課題を解決するために、汎用されている止め具について鋭意検討した結果、雌ホックに雄ホックを止めた状態で、磁性材料で形成した係止部材により係止し、該係止部材の係止を磁石の磁力を利用して開放することにより、軽量かつ小型で簡易ロック付き止め具が得られることを見出し、本発明に至ったものである。すなわち、本発明は次の係止機構付き止め具、及び該係止機構付き止め具を使用した介護用ねまき又はかばん等を提供する。
（１）  雌ホックと雄ホックとを着脱する止め具であって、前記雌ホックは内部に雄ホックに係合する係止部材と該係止部材を雄ホックに係合した状態で係止するストッパーとを具備し、該ストッパーを磁性材料から形成して磁石の磁力で前記係止を開放することにより、雌ホックと雄ホックとを外すことを特徴とする係止機構付き止め具。
（２）  前記雌ホックは、止め鋲で取り付けされた外ケースと下ケースとの間に、雄ホックのフック部に係合する係止部材と、該係止部材を雄ホックのフック部に係合した状態で係止するストッパーと、該ストッパーを雄ホックのフック部に係止した状態に付勢するばね部材とを具備し、外ケースを非磁性材料から形成して該外ケースの外側から磁石の磁力を前記ストッパーに作用させてばね部材の弾性力に抗して動作させることにより、該ストッパーが係止部材に対する係止を開放し、雌ホックと雄ホックとを外すことを特徴とする上記（１）の係止機構付き止め具。
（３）  前記係合部材は弾性的に拡開して雄ホックのフック部に係合することを特徴とする上記（１）又は（２）の係止機構付き止め具。
（４）  前記係止部材が弾性的に拡開するリングばねからなり、該リングばねはストッパー内に収容された状態において、リングばね内に押し込まれた雄ホックのフック部に係合し、この状態のリングばねをばね部材で付勢されたストッパーで外側から係止することにより雌ホックと雄ホックとを止めることを特徴とする上記（１）、（２）又は（３）の係止機構付き止め具。
（５）  前記ストッパーは下端部が開口したキャップ状をなしており、該下端部で係止部材を係止することを特徴とする上記（１）〜（４）のいずれかの係止機構付き止め具。
（６）  前記雄ホックがフック部と止め鋲部とからなり、該フック部は内部に段部を有する円筒孔が、外周に係合溝を有する係止突起と該係止突起が植立されている台板とを貫通して設けられており、前記止め鋲部は台板の中央に植立てした円筒部を有し、該円筒部を布服等の孔に通した後、フック部の前期円筒孔に台板側から挿入して円筒部の先端を広げて前期段部に係止することにより、雄ホックを布服等に取り付けできる上記（１）〜（５）のいずれかの係止機構付き止め具。
（７）  上記（１）〜（６）のいずれかの止め具が、介護用ねまきの止め具、介護手袋用の止め具又はかばん等の簡易ロック付き止め具である係止機構付き止め具。
（８）  上記（１）〜（６）のいずれかの止め具が開閉スライダ用止め具として使用されている介護用ねまき。
（９）  上記（１）〜（６）のいずれかの止め具が蓋の止め具として使用されているかばん。
【発明の効果】
【００１０】
本発明によれば、雄ホックと雌ホックとを止めた状態で磁性材料で形成した係止部材で係止し、該係止部材の係止を磁石の磁力以外の手段では開放できないようになっているので、雄ホックと雌ホックとが外れるのを防止できる。また、係止状態にある雄ホックと雌ホックの取り外しを、鍵を使用せずに雌ホックの外側から磁石の磁力を作用させるだけで簡単にできるので、作業負担と手間が軽減できる。これにより、高齢介護者のように指先の力が衰えた方であっても簡単に開閉できる利便性が得られる。
【００１１】
また、本発明の止め具は、雄ホックと雌ホックからなるホックタイプの止め具であるので、係止機構を備えた止め具であるにも拘らず両ホックの取り付けおよびその着脱を容易にできる。さらに、係止機構を磁石で操作できるように構成し、止め具の構造を簡単にできるため、止め具の小型化と軽量化が得られる。
【発明を実施するための最良の形態】
【００１２】
本発明の係止機構付き止め具（以下、本止め具とする）は、雄ホックと雌ホックとによって構成されるホックタイプの止め具であり、該雌ホックは雄ホックと止めた状態で係止するための係止部材を具備し、該係止部材を磁性材料で形成して磁石の磁力で前記係止を開放することにより、雄ホックと雌ホックとが取り外し可能に構成されている。
【００１３】
本止め具において、雄ホックと雌ホックは本止め具で係止する物品に対で取り付けられ、両者を嵌着することにより止め具としての機能が得られる。ここで、前記係止は嵌着した雄ホックと雌ホックとが離脱しないように保持されている状態を指し、この機能は係止部材によって得られる。したがって、係止部材による係止を開放すれば、雄ホックと雌ホックとを外すことができる。
【００１４】
次に本発明を図面に基づいて具体的に説明する。図面は本発明の好ましい実施形態を例示したものであり、本発明は例示の図面とその説明に限定されない。また、図面の同一の部品には、理解を容易にするため同一符号を付して説明するとともに、その材質も特に断らない限り同じであるので、その説明を省略することがある。
【００１５】
図１は本止め具の好ましい実施形態の一つで、雌ホック１と雄ホック２とが嵌着した状態の断面図を示し、該雌ホック１と雄ホック２は離脱しないように係止部材６により係止されている。すなわち、雌ホック１は、止め鋲８により布服等１１に取り付けられた外ケース３と下ケース４の間に、係止部材６、ストッパー５およびばね部材７を組み込んで構成されており、雄ホック２に係合した係止部材６をストッパー５で係止し、さらにこの係止が開放されないようにストッパー５をばね部材７で付勢している。雄ホック２はフック部１２が止め鋲部１３によって布服等１１に取り付けされており、該フック部１２に雌ホック１の係止部材６が係合している。雄ホック２については後述する。
【００１６】
次に、上記雌ホック１を図２に従って詳細に説明する。図２は雌ホック１の分解図である。図２に示すように、外ケース３は天部１８の周りに周側部３３を有するキャップ状体で、天部１８の中央に円筒孔１４が設けられている。天部１８は磁石（後述）を近接しやすくするためにほぼ平坦であるのが好ましく、またその形状は円形が好ましい。
【００１７】
本発明において外ケース３は非磁性材料で形成されるのが好ましい。このように外ケース３を非磁性材料にする理由は、係止部材６を係止しているストッパー５に磁力を作用させて係止を開放するために磁石を外ケース３に近づけたとき、磁力が作用しないようにするためである。この非磁性材料としては、例えば１８−８ステンレス鋼、真鍮、亜鉛、アルミニウムなどの金属が強度や製造加工のしやすさの面から好ましく使用でき、なかでも真鍮が好ましい。外ケース３は、これらの材料からプレス加工によって製造できる。
【００１８】
下ケース４は、上記した外ケース３と合わさって雌ホック１の下部を構成する部品で、外ケース３と同様に非磁性材料で形成されるのが好ましい。この下ケース４は、内部に係止部材等を組み込むための空間部を確保するための円筒部３４を有しており、該円筒部３４の底部には透き孔２２が設けられていて、該透き孔２２から雄ホックのフック部を円筒部３４に出し入れできるようになっている。したがって、透き孔２２の径は、雄ホックのフック部の最大径より僅かに大きいのが好ましい。
【００１９】
止め鋲８は、上記の外ケース３および下ケース４を布服等１１（図２参照）に取り付けるための部品で、例えば真鍮板を所定の形状に切り抜き、これをプレス成形加工することにより得ることができる。止め鋲８の中央は、雄ホックのフック部が挿通できる所定の大きさに開口しており、かつ該開口の周縁に円筒状の止め片２５がほぼ直立して形成されており、該止め片８の円筒内部に前記下ケース４の円筒部３４が好ましく嵌合できるようになっている。
【００２０】
この止め鋲８で下ケース４および外ケース３を布服等に取り付けるには、布服等の雌ホック３を取り付ける箇所に予め止め鋲８の止め片２５の大きさに合わせて孔を明け、該孔に布服等の裏側から止め鋲８の止め片２５を通して該止め鋲８の止め片内に下ケース４の円筒部３４を嵌合し、さらに外ケース３を重ね合わせ、止め片２５の先端部と下ケース４および外ケース３の縁部とを重ね合わせた状態で一緒に折り曲げることにより得られる。この場合、止め鋲８の止め片２５の先端部を図示のように波形に加工しておくと、前記折り曲げが容易となる。また、布服等への取り付けを強固にするために、止め鋲８の止め片２５の周りに複数個のバー（ｂｕｒｒ）２３を設け、その頭部を尖鋭な凹凸に加工しておくと、布服等に食い込みやすくできる。しかし、雌ホック１の布服等への取り付け方法は、汎用のホックや止め具で実施されている方法でもよく限定されない。
【００２１】
次に、上記の下ケース４および外ケース３の内部に組み込まれる、係止部材６、ストッパー５およびばね部材７について説明する。本例の係止部材６は、円錐状の裾部３５を有するキャップ状をなしており、例えば非磁性材料の板状体からプレス加工によって製造できる。この係止部材６を弾性が得られる材料から形成し、さらに裾部３５の下端部分に数個の切込み１６を裾部の周方向にほぼ一定の間隔で設けることにより、裾部３５の下端部が外側に弾性的に拡開できるようになっている。該裾部３５の下端部には、係合部１７が裾部に沿って便宜的に設けられる。この係合部１７は、裾部３５内に雄ホックのフック部１２が挿入されたとき、該フック部１２の係合溝２６（図３参照）に嵌入して、雌ホックと雄ホックとを止める機能を持っている。そのため、係合部１７は雄ホック２のフック部１２が着脱しやすく、かつ前記係合溝２６に整合しやすい形状が好ましい。具体的には、係合部１７は裾部３５の内側に向かって突出し、その縦断面が上記係合溝２６の彎曲凹面に見合う彎曲凸面であるのが好ましい。しかし、係止部材６の係合部１７と雄ホック２のフック部１２の形状およびこれらの係合の仕方は、本例に限定されないで変えられる。
【００２２】
また、係止部材６の上部に円筒突起１５を設け、雌ホックの組み立て時に該円筒突起１５を外ケース３の前記円筒孔１４に嵌挿するのが好ましい。円筒突起１５を外ケース３の円筒孔１４に嵌挿させることにより、ケース内に組み込んだ係止部材６の姿勢を安定させ、さらに係止部材６がケース内において上下動するとき、円筒突起１５が外ケース３の円筒孔１４によって案内されるので、該係止部材６の動作が円滑となる。
【００２３】
ストッパー５は、雄ホック２のフック部１２に係合した前記係止部材６がフック部から離脱しないように係止し、また係止部材６を前記フック部１２から離脱し雌ホック１と雄ホック２とを外すときには、該係止を磁石の磁力によって開放させる役割を持っている。本例のストッパー５は、係止部材６を内部に収容できるように係止部材６に類似する円錐台状に形成されており、その上部に係止部材６の円筒突起１５を挿通するための孔２０が設けられている。また、円錐台状の下端部に沿って凹部２１が形成されている。該凹部２１は係止部材６の係止に有効に作用するが、その形状は適宜決めることができる。
【００２４】
本発明において、該ストッパー５は磁性材料で形成される。ストッパー５を磁性材料で形成することにより、係止部材６を係止しているストッパー５を磁石の磁力により上方に動かして係止を開放させ、雌ホック１を雄ホック２から外すことができる。ストッパー５に適合する磁性材料としては、鉄、１８−８ステンレス鋼以外のステンレス鋼（以下、磁性ステンレス鋼とする）などを挙げることができる。なかでも磁性ステンレス鋼は防錆に優れ、経済的にも好ましい。なお、ストッパー５は通常全体を磁性材料で形成するが、ストッパー５本体を非磁性材料で形成し、その磁力を受けやすい部分に磁性材料を例えば接着して設けてもよい。
【００２５】
ばね部材７は、雌ホック１と雄ホック２とが止められている状態では、付勢する弾性力でストッパー５の動作を拘束し、ストッパー５に前記弾性力より大きい磁力が作用しない限り、ストッパー５が係止部材６に対する係止を保持する役割を有している。そして、ストッパー５に外ケース３の外側から前記弾性力より大きい磁力が作用したときには、該弾性力に抗してストッパー５を外ケース側に動作させ、係止部材６に対する係止を開放させる。このため、ばね部材６の弾性力はストッパー５に作用する磁力より小さいことが重要であり、前記係止の開放が円滑かつ確実に得られる強さの弾性力を有するものが、使用する磁石の強さによって選択される。本例ではコイルばねを使用しているが、ばね部材７はストッパー５に所定の弾性力を付勢できるものであればよくこれに限定されない。例えば板ばね、竹の子ばね、うず巻ばね、線巻きばね、線ばねやゴム弾性体などを用いることもでき、本発明のばね部材はこれらを包含している。さらに、その設置の位置や方法も適宜決めることができる。
【００２６】
次に、本例の雌ホック１をこれらの部品から組み立て布服等に取り付ける場合について説明する。雌ホック１を取り付ける位置の布服等に明けた孔に、裏側から止め鋲８の止め片２５を挿通し、ついで該止め鋲８の止め片２５内に下ケース４の円筒部３４を挿入して重ねた後、該下ケース４の上に係止部材６を載置し、該係止部材６の円筒突起１５にストッパー５の孔２０を通してストッパー５を被せる。そして、ストッパー５の上にばね部材７を載せて上方から外ケース３を係止部材６の前記円筒突起１５に円筒孔１４を挿通して重ね合わせる。かくして、下ケース４と外ケース３との間に、係止部材６、ストッパー５、ばね部材７を組み込んだ後、布服等１１をこれらケースと止め鋲８で挟持しながら、止め鋲８の止め片２５、下ケース４および外ケース３の先端部を重ね合わせた状態で折り曲げることにより雌ホック１を得ることができる。
【００２７】
次に、雄ホック２について図３を参照して説明する。本例の雄ホック２の基本構成は、汎用されている通常のホックと同じように、図３に示すように止め鋲部１３とフック部１２とから形成できる。材質としては、例えば真鍮やステンレス鋼などの金属が好ましく用いられる。止め鋲部３は、台板２９の中央に円筒部３０を植立てし、またフック部１２は台板２８に係止突起３６を植立てしており、該係止突起３６には止め鋲部１３の円筒部３０を挿通するための円筒孔２７が台板２８を貫通して設けられ、さらに係止突起３６の外側には雌ホック１の前記係止部材６が係合するための係合溝２６が全周に形成されている。
一方、この円筒孔２７の内部には、図１に示すように段部が設けられており、布服等１１に設けた取付け孔に止め鋲部１３の円筒部３０を挿通し、該円筒部３０にフック部１２の円筒孔２７を布服等の表側から嵌挿してその先端部を外方向に拡張することにより、止め鋲部１３とフック部１２とを固着できる。これにより、雄ホック２を布服等に取り付けできる。
【００２８】
図４は、上記の雌ホック１と雄ホック２とを止める前の状態から、磁石により外すまでの状態を示したものである。なお、図には主な参照符号を省略している。（ａ）は雌ホック１と雄ホック２を止める直前の状態であり、（ｂ）は雌ホック１の係止部材６に雄ホック２のフック部１２を押し込む状態で、フック部１２を係止部材６に押し込むと、フック部１２は係止部材６の係合部１７を弾性的に押し広げながら進み、押し込みの終時に係止部材６の係合部１７はフック部１２の係合溝２６に係合し、この状態で係止部材６の係合部１７に近い端部は、外側からストッパー５の凹部２０によって係止される。係止部材６を係止したストッパー５には、ばね部材７が上方から付勢しているので、ストッパー５による係止部材６の係止は開放されることなく保持される。（ｃ）は係止部材６がストッパー５によって係止された状態である。この状態では雌ホック１と雄ホック２とを外そうとしても、係止部材６はストッパー５によって外方向への広がりが阻止されるため、その係合部１７を雄ホック２のフック部の係合溝から離脱させることが不可能となる。その結果、雌ホック１と雄ホック２とを外すことができない。
【００２９】
この雌ホック１と雄ホック２の取り外しは、（ｄ）に示すように雌ホック１の外側に磁石３１を近づけることしより可能となる。すなわち、雌ホック１に磁石３１を近づけると、磁性材料からなるストッパー５が磁石３１の磁力によって磁石側に引き寄せられ、ばね部材７の弾性力に抗して上方に動くため、それまで係止部材６を係止していたストッパー５は、係止部材６から外れて係止を開放する。この係止の開放により、係止部材６の係合部１７は外方向に自由に広がることができる状態になるので、雌ホック１と雄ホック２とを引き離すと、雄ホック２のフック部１２が係止部材６の係合部１７を押し広げながら離脱するため、両者を外すことができる。
【００３０】
図５は本発明の他の好ましい実施形態を示す。本例は、雌ホック１の係止部材として図６に示すようなリングばね１０を用いることを特徴としている。雌ホック１と雄ホック２とを止めた状態で係止する機構とこの係止を磁石で開放して雌ホック１と雄ホック２を外す機構の原理は、各部品の材質を含めて前記の図１の止め具と実質的に同一である。つまり、本例の雌ホック１は、下ケース４と外ケース３との間にリングばね１０、磁性材料からなるストッパー５およばね部材７を組み込んで構成されており、雄ホック２のフック部１２の係合溝２６に該リングばね１０が係合した状態で外方向に広がらないようにストッパー５でリングばね１０を係止し、さらにばね部材７を該ストッパー５に付勢させてこの係止が開放されないようにし、雄ホック２のフック部１２がリングばね１０から離脱するのを防止している。この場合、ストッパー５にリングばね１０の受け部３７を設けると、ストッパー５でリングばね１０を確実に係止できる。
【００３１】
一方、このように係止された雌ホック１と雄ホック２とを外すときには、雌ホック１の外側から磁石の磁力をストッパー５に作用させてストッパー５をばね部材７の弾性力に抗して上方に動かし、リングばね１０に対する係止を開放させて、前記フック部１２によるリングばね１０の押し広げを可能にして外す。
【００３２】
本例の雌ホック１において、上記リングばね１０は雄ホック２のフック部１２に形成されている係合溝２６の最小径とほぼ同じ径と適度の弾性を持っているので、フック部１２でリングばね１０を押し広げながら係合溝２６に係合できる。その際、外ケース１の円筒孔１４の下端にストッパー板９を固定して設けておくと、リングばね１０がフック部１２によって一定以上に押し上げられるのを該ストッパー板９で防ぐことができる。このストッパー板９が設けられていない場合には、フック部１２をリングばね１０に押し込んだとき、リングばね１０がフック部１２によって押し上げられてしまうため、リングばね１０をフック部１２で押し広げて係合溝２６に係合させることが困難となる。
【００３３】
本発明において、雌ホック１と雄ホック２の取り外しに使用する磁石３１は、所定の強度の磁力が得られるものであれば、永久磁石、電磁石のいずれでもよい。しかし、永久磁石の方が磁石自体の構造が簡単でかつ電源を必要としないために軽量化と小型化に適し、携帯の利便性が得られる点で優れている。
【００３４】
図７及び図８は、永久磁石を使用した携帯用の磁石を例示したもので、図８は図７のＡ−Ａ部における断面図を示す。本例の磁石は、携帯に適した形体にするために、例えばプラスチックス製のホルダ３２に磁石３１を埋設し、さらにホルダ３２の端部に紐穴３３を設けて、該紐穴に紐３４を付けて携帯しやすくしている。しかし、本発明において、磁石３１はこれに限定されないで、所定の強さの磁力さえ持っていれば使用でき、止め具の形体、大きさ、用途などに関係なく共用できる利点を有している。
【００３５】
図９は、本止め具３２を適用した介護用ねまき３８を示し、該介護用ねまき３８の例えば開閉スライダ３９の終端部の止め具として使用した場合である。開閉スライダ３９を閉じてその終端部を本止め具３２で止めておくと、開閉スライダ３９は本止め具の係止を磁石を用いて開放しないかぎり開けられない。また、図１０は本止め具３２を手袋４０の離脱防止用に適用した場合であり、図１１は本止め具３２をかばん４１（ケース等を含む）の簡易ロック付き止め具として適用した場合である。いずれの場合も磁石で係止を開放しないと手袋４０を手から離脱したり、かばん４１の蓋を開けることができない。さらに、図示はしないが本止め具は、医療用、日用品用などで簡単なロックが必要なその他の物品の止め具にも応用できる。
【産業上の利用可能性】
【００３６】
本発明に係わる止め具は、磁石の磁力を利用して止め具を外せる簡易ロック付き止め具であるので、止め具を外す必要が生じたとき携帯用の小さな磁石で容易にでき、かつ小型化、軽量化できるので、介護用ねまきの止め具、手袋の外し防止用止め具、かばんの簡易止め具などに適用できる。
【図面の簡単な説明】
【００３７】
【図１】本発明に係わる好ましい止め具の断面図。
【図２】図１の止め具の雌ホックの分解図。
【図３】図１の止め具の雄ホックの分解図。
【図４】図１の止め具の使用方法を示す断面図。
【図５】本発明の他の好ましい実施形態に係る止め具の断面図。
【図６】図５の止め具のリングばねの斜視図。
【図７】携帯用の磁石の平面図。
【図８】図７のＡ−Ａ部における断面図。
【図９】本発明に係わる止め具を使用した介護用ねまきの正面図。
【図１０】本発明に係わる止め具を使用した手袋の正面図。
【図１１】本発明に係わる止め具を使用したかばんの正面図。
【符号の説明】
【００３８】
１：雌ホック              ２：雄ホック            ３：外ケース
４：下ケース              ５：ストッパー          ６：係止部材
７：ばね部材              ８：止め鋲              ９：ストッパー板
１０：リングばね          １１：布服等            １２：フック部
１３：止め鋲部            １４：円筒孔            １５：円筒突起
１６：切込み              １７：係合部            １８：天部
１９：天板                ２０：孔                ２１：凹部
２２：透き孔              ２３：バー              ２５：止め片
２６：係合溝              ２７：円筒孔            ２８、２９：台板
３０：円筒部              ３１：磁石              ３２：止め具
３３：側周部              ３４：円筒部            ３５：裾部
３６：係止突起            ３７：受け部            ３８：介護用ねまき
３９：開閉スライダ        ４０：手袋              ４１：かばん
【図１】
2006136557.tif 000003
【図２】
2006136557.tif 000004
【図３】
2006136557.tif 000005
【図４】
2006136557.tif 000006
【図５】
2006136557.tif 000007
【図６】
2006136557.tif 000008
【図７】
2006136557.tif 000009
【図８】
2006136557.tif 000010
【図９】
2006136557.tif 000011
【図１０】
2006136557.tif 000012
【図１１】
2006136557.tif 000013